(57)【要約】【課題】走査電極の数の多いプラズマディスプレイパネルであっても、画質劣化を抑えながら書込み期間の長さを短縮する。【解決手段】走査電極に走査パルスを印加するとともにデータ電極に書込みパルスを印加して放電セルで書込み動作を行う書込み期間と、走査電極と維持電極とに輝度重みに応じた数の維持パルスを交互に印加して放電セルを発光させる維持期間とを有するサブフィールドを複数配置して１フィールド期間を構成し、書込み期間では、走査電極に対して１走査電極ずつ走査パルスを印加する通常書込み動作と走査電極に対して２走査電極ずつ同時に走査パルスを印加する同時書込み動作とのいずれかを行うように構成し、表示する画像信号のＡＰＬが所定のしきい値以上の場合は、所定のしきい値未満の画像信号に比較して同時書込み動作を行うサブフィールドの数を多く設定するように構成した。【選択図】図８
2009069239.tif 000002
【特許請求の範囲】
【請求項１】
走査電極と維持電極とデータ電極とを有する放電セルを多数配列したプラズマディスプレイパネルの駆動方法であって、
前記走査電極に走査パルスを印加するとともに前記データ電極に書込みパルスを印加して前記放電セルで書込み動作を行う書込み期間と、前記走査電極と前記維持電極とに輝度重みに応じた数の維持パルスを交互に印加して前記放電セルを発光させる維持期間とを有するサブフィールドを複数配置して１フィールド期間を構成し、
前記書込み期間では、前記走査電極に対して１走査電極ずつ走査パルスを印加する通常書込み動作と、前記走査電極に対して２走査電極ずつ同時に走査パルスを印加する同時書込み動作とのいずれかを行うように構成し、
かつ表示する画像信号のＡＰＬが所定のしきい値以上の場合は、前記所定のしきい値未満の画像信号に比較して、同時書込み動作を行うサブフィールドの数を多く設定するように構成したことを特徴とするプラズマディスプレイパネルの駆動方法。
【請求項２】
表示する画像信号のＡＰＬが前記所定のしきい値以上の場合は、前記所定のしきい値未満の画像信号に比較して、１走査電極あたりの書込み動作に要する時間を長く設定するように構成したことを特徴とする請求項１に記載のプラズマディスプレイパネルの駆動方法。
【請求項３】
輝度重みの小さいサブフィールドは、同時書込み動作を行うサブフィールドに設定することを特徴とする請求項１に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、走査電極と維持電極とデータ電極とを有する放電セルを多数配列して形成されている。そして、各放電セル内でガス放電により紫外線を発生させ、この紫外線で放電セル内部に塗布されたＲＧＢ各色の蛍光体を励起発光させてカラー表示を行っている。
【０００３】
パネルを駆動する方法としてはサブフィールド法、すなわち、初期化期間と書込み期間と維持期間とを有するサブフィールドを複数配置して１フィールド期間を構成し、発光させるサブフィールドの組み合わせによって階調表示を行う方法が一般的である。初期化期間では、放電セルで初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるという働きを持つ。つづく書込み期間では、走査電極に走査パルスを印加するとともにデータ電極に表示すべき画像信号に対応した書込みパルスを印加して放電セルで選択的な壁電荷を形成する書込み動作を行う。そして維持期間では、走査電極と維持電極とに輝度重みに応じた数の維持パルスを交互に印加して、書込み放電による壁電荷形成を行った放電セルを選択的に放電させ発光させる。このように、書込み期間では走査電極のそれぞれに対して走査パルスを順次印加して選択的に書込み放電を起こす必要がある。
【０００４】
近年、パネルの高精細度化が進み、それに伴い走査電極の数が増加する傾向にある。そして走査電極の数が増加すると、走査電極１本あたりの書込み動作に要する時間（以下、「書込み時間」と略記する）を短くする、あるいは全ての走査電極に対して選択的に書込み放電を行うための書込み期間を長くする必要がある。しかしながら書込み時間を短くすると書込み放電が不安定となり、発光すべきセルが発光せず画像表示品質が低下する恐れがあった。また書込み期間を長くすると、その分、初期化期間または維持期間を短くしなければならない。しかし、初期化期間を短縮すると書込み放電が不安定となり画像表示品質が低下し、維持期間を短縮すると維持放電の回数が少なくなって画像表示輝度が低下するという課題があった。これらの課題を解決するために、例えば特許文献１には、従来の線順次方式をインターレース方式とし、連続した２行の走査電極を１走査単位として線順次駆動することで、パネルの書込み動作に要する時間を半減する方法が記載されている。
【特許文献１】特開平５−２１６４３３号公報
【発明の開示】
【発明が解決しようとする課題】
【０００５】
特許文献１に記載されたパネルの駆動方法によれば、書込み期間の長さを半分にすることは可能である。しかしながら、連続した２本の走査電極には同じ画像信号が入力されるので、特許文献１に記載されている通り、表示される画像の解像度が大きく低下することは避けられない。
【０００６】
本発明はこれらの課題に鑑みなされたものであり、走査電極の数の多いパネルであっても、画質劣化を抑えながら書込み期間の長さを短縮することができるパネルの駆動方法を提供することを目的とする。
【課題を解決するための手段】
【０００７】
本発明は、走査電極と維持電極とデータ電極とを有する放電セルを多数配列したパネルの駆動方法であって、走査電極に走査パルスを印加するとともにデータ電極に書込みパルスを印加して放電セルで書込み動作を行う書込み期間と、走査電極と維持電極とに輝度重みに応じた数の維持パルスを交互に印加して放電セルを発光させる維持期間とを有するサブフィールドを複数配置して１フィールド期間を構成し、書込み期間では、走査電極に対して１走査電極ずつ走査パルスを印加する通常書込み動作と走査電極に対して２走査電極ずつ同時に走査パルスを印加する同時書込み動作とのいずれかを行うように構成し、表示する画像信号のＡＰＬが所定のしきい値以上の場合は、所定のしきい値未満の画像信号に比較して、同時書込み動作を行うサブフィールドの数を多く設定するように構成したことを特徴とする。この方法により、走査電極の数の多いパネルであっても、画質劣化を抑えながら書込み期間の長さを短縮することができるパネルの駆動方法を提供することができる。
【０００８】
また本発明のパネルの駆動方法は、表示する画像信号のＡＰＬが所定のしきい値以上の場合は、所定のしきい値未満の画像信号に比較して１走査電極あたりの書込み動作に要する時間を長く設定するように構成することが望ましい。
【０００９】
また本発明のパネルの駆動方法は、輝度重みの小さいサブフィールドは、同時書込み動作を行うサブフィールドに設定することが望ましい。
【発明の効果】
【００１０】
本発明によれば、走査電極の数の多いパネルであっても、画質劣化を抑えながら書込み期間の長さを短縮することができるパネルの駆動方法を提供することが可能となる。
【発明を実施するための最良の形態】
【００１１】
以下、本発明の一実施の形態におけるパネルの駆動方法について、図面を用いて説明する。
【００１２】
（実施の形態）
図１は、本発明の実施の形態におけるパネルの要部を示す分解斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。背面基板３上には絶縁体層８で覆われた複数のデータ電極９が形成され、データ電極９の間の絶縁体層８上にデータ電極９と平行して隔壁１０が設けられている。また、絶縁体層８の表面および隔壁１０の側面に蛍光体層１１が設けられている。前面基板２と背面基板３とは、走査電極４および維持電極５とデータ電極９とが交差する方向に対向配置され、その間には放電ガスとして、例えばネオンとキセノンの混合ガスが封入されている。
【００１３】
図２は、本発明の実施の形態におけるパネル１の電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。なお、以下の説明ではｎが偶数であるものとして説明するが、本発明はもちろんこれに限定されるものではない。
【００１４】
図３は、本発明の実施の形態におけるプラズマディスプレイ装置の回路ブロック図である。プラズマディスプレイ装置は、パネル１、データ電極駆動回路１２、走査電極駆動回路１３、維持電極駆動回路１４、タイミング発生回路１５、画像信号処理回路１８、ＡＰＬ算出回路３０および各回路ブロックに必要な電源を供給する電源回路（図示せず）を備えている。
【００１５】
タイミング発生回路１５は、水平同期信号、垂直同期信号およびＡＰＬ算出回路３０が検出した画像信号の平均輝度レベル（以下、「ＡＰＬ」と略記する）をもとにして各回路ブロックの動作を制御する各種のタイミング信号を発生し、それぞれの回路ブロックへ供給する。特にタイミング発生回路１５は、後述する書込み期間において、１走査電極ずつ書込み動作を行う通常書込み動作および２走査電極ずつ書込み動作を行う同時書込み動作のいずれかをＡＰＬにもとづき選択し、対応するタイミング信号をそれぞれの回路ブロックへ供給する。
【００１６】
画像信号処理回路１８は、入力された画像信号をサブフィールド毎の発光・非発光を示す画像データに変換する。データ電極駆動回路１２は、サブフィールド毎の画像データを各データ電極Ｄ１〜Ｄｍに対応する信号に変換し各データ電極Ｄ１〜Ｄｍを駆動する。ＡＰＬ算出回路３０は画像信号のＡＰＬを算出する。具体的には、例えば画像信号の輝度値を１フィールド期間または１フレーム期間にわたって累積する等の一般に知られた手法を用いることによってＡＰＬを算出することができる。走査電極駆動回路１３はタイミング信号にもとづいて走査電極４のそれぞれを駆動し、維持電極駆動回路１４はタイミング信号にもとづいて維持電極５を駆動する。
【００１７】
つぎに、パネル１を駆動するための駆動電圧波形とその動作について説明する。本実施の形態においては、１フィールド期間が初期化期間、書込み期間および維持期間を有する１０のサブフィールド（第１ＳＦ、第２ＳＦ、・・・、第１０ＳＦ）から構成されており、各サブフィールドはそれぞれ、例えば（１、２、３、６、１１、１８、３０、４４、６０、８０）の輝度重みを持つものとして説明する。しかし、本発明はサブフィールド数や輝度重みが上記の値に限定されるものではない。
【００１８】
図４は、本発明の実施の形態におけるプラズマディスプレイ装置のパネルの各電極に印加する駆動電圧波形図である。図４には、２つのサブフィールドの駆動電圧波形を示しているが、他のサブフィールドにおける駆動電圧波形もほぼ同様である。
【００１９】
初期化期間の前半部では、維持電極ＳＵＳ１〜ＳＵＳｎおよびデータ電極Ｄ１〜Ｄｍを０（Ｖ）に保持し、走査電極ＳＣＮ１〜ＳＣＮｎに対して放電開始電圧以下となる電圧Ｖｐ（Ｖ）から放電開始電圧を超える電圧Ｖｒ（Ｖ）に向かって緩やかに上昇する上り傾斜波形電圧を印加する。すると、走査電極ＳＣＮ１〜ＳＣＮｎを陽極とし維持電極ＳＵＳ１〜ＳＵＳｎおよびデータ電極Ｄ１〜Ｄｍを陰極とする微弱な初期化放電が発生する。こうして、全ての放電セルにおいて１回目の微弱な初期化放電を発生し、走査電極ＳＣＮ１〜ＳＣＮｎ上に負の壁電圧を蓄えるとともに維持電極ＳＵＳ１〜ＳＵＳｎ上およびデータ電極Ｄ１〜Ｄｍ上に正の壁電圧を蓄える。ここで、電極上の壁電圧とは、電極を覆う誘電体層上、蛍光体層上、保護層上等に蓄積した壁電荷により生じる電圧をあらわす。
【００２０】
初期化期間の後半部では、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降する下り傾斜波形電圧を印加する。すると、全ての放電セルにおいて、走査電極ＳＣＮ１〜ＳＣＮｎを陰極とし維持電極ＳＵＳ１〜ＳＵＳｎおよびデータ電極Ｄ１〜Ｄｍを陽極とする２回目の微弱な初期化放電を起こす。そして、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。
【００２１】
なお、初期化期間の駆動電圧波形としては、図４の第２ＳＦの初期化期間に示したように、初期化期間の後半部の電圧波形だけを印加してもよく、この場合には直前のサブフィールドの維持期間において維持放電を行った放電セルで選択的に初期化放電が発生する。
【００２２】
つづく書込み期間では、走査電極ＳＣＮ１〜ＳＣＮｎに対して１走査電極ずつ走査パルスを印加する通常書込み動作と、走査電極ＳＣＮ１〜ＳＣＮｎに対して隣接する２走査電極ずつ同時に走査パルスを印加する同時書込み動作とのいずれかを行い、表示する画像信号のＡＰＬが所定のしきい値以上の場合は、所定のしきい値未満の画像信号に比較して、同時書込み動作を行うサブフィールドの数が多くなるように設定している。さらに、表示する画像信号のＡＰＬが所定のしきい値以上の場合は、所定のしきい値未満の画像信号に比較して書込み時間が長くなるように設定している。
【００２３】
まず、１走査電極ずつ書込み動作を行う通常書込み動作について詳細に説明する。図５は、本発明の実施の形態におけるプラズマディスプレイ装置の通常書込み動作を説明する図であり、書込み期間においてパネルの各電極に印加する駆動電圧波形図である。
【００２４】
走査電極ＳＣＮ１〜ＳＣＮｎを一旦電圧Ｖｓ（Ｖ）に保持する。つぎに、データ電極Ｄ１〜Ｄｍのうち、１行目に表示すべき放電セルのデータ電極Ｄｋ（ｋ＝１〜ｍ）に正の書込みパルス電圧Ｖｗ（Ｖ）を印加するとともに、１行目の走査電極ＳＣＮ１に走査パルス電圧Ｖｂ（Ｖ）を印加する。このとき、データ電極Ｄｋと走査電極ＳＣＮ１との交差部の電圧は、外部印加電圧（Ｖｗ−Ｖｂ）（Ｖ）にデータ電極Ｄｋ上の壁電圧および走査電極ＳＣＮ１上の壁電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電圧が蓄積され、維持電極ＳＵＳ１上に負の壁電圧が蓄積され、データ電極Ｄｋ上にも負の壁電圧が蓄積される。このようにして、１行目に表示すべき放電セルで書込み放電を起こして各電極上に壁電圧を蓄積する書込み動作が行われる。一方、正の書込みパルス電圧Ｖｗ（Ｖ）を印加しなかったデータ電極と走査電極ＳＣＮ１との交差部の電圧は放電開始電圧を超えないので、書込み放電は発生しない。
【００２５】
以上の書込み動作を２行目の放電セル、３行目の放電セル、・・・、ｎ行目の放電セルに順次行い、書込み期間が終了する。このように、通常書込み動作は、走査電極ＳＣＮ１〜ＳＣＮｎのそれぞれに位相の異なる走査パルスを順次印加し、データ電極Ｄ１〜Ｄｍのそれぞれに各放電セルに対応する画像信号にもとづく書込みパルスを印加して選択的に書込み放電を行う書込み動作である。
【００２６】
つぎに、隣接する２走査電極ずつ同時に書込み動作を行う同時書込み動作について詳細に説明する。本実施の形態においては２種類の同時書込み動作がある。図６は、本発明の実施の形態におけるプラズマディスプレイ装置の第１の同時書込み動作を説明する図であり、書込み期間においてパネルの各電極に印加する駆動電圧波形図である。
【００２７】
走査電極ＳＣＮ１〜ＳＣＮｎを一旦電圧Ｖｓ（Ｖ）に保持する。つぎに、データ電極Ｄ１〜Ｄｍのうち、１行目に表示すべき放電セルのデータ電極Ｄｋに正の書込みパルス電圧Ｖｗ（Ｖ）を印加するとともに、１行目の走査電極ＳＣＮ１および２行目の走査電極ＳＣＮ２に走査パルス電圧Ｖｂ（Ｖ）を印加する。すると、データ電極Ｄｋと走査電極ＳＣＮ１との間および維持電極ＳＵＳ１と走査電極ＳＣＮ１との間に書込み放電が起こり、それぞれの電極上に壁電圧が蓄積される。同時に、データ電極Ｄｋと走査電極ＳＣＮ２との間および維持電極ＳＵＳ２と走査電極ＳＣＮ２との間にも書込み放電が起こり、それぞれの電極上に壁電圧が蓄積される。このように第１の同時書込み動作では、１行目に表示すべき放電セルで書込み放電を起こして各電極上に壁電圧を蓄積する書込み動作が行われるとともに、２行目の放電セルでも同時に書込み動作が行われる。一方、正の書込みパルス電圧Ｖｗ（Ｖ）を印加しなかった１行目の放電セルおよび２行目の放電セルでは書込み放電は発生しない。
【００２８】
以上の書込み動作を３行目の放電セルと４行目の放電セル、５行目の放電セルと６行目の放電セル、・・・、ｎ−１行目の放電セルとｎ行目の放電セルに順次行い、書込み期間が終了する。
【００２９】
このように、第１の同時書込み動作は、隣接する２つの走査電極には同位相の走査パルスを印加し、データ電極Ｄ１〜Ｄｍのそれぞれには１行おきの放電セルに対応する画像信号にもとづく書込みパルスを印加して選択的に書込み放電を行う同時書込み動作である。ここで、同位相の走査パルスを印加する走査電極は、走査電極ＳＣＮ１と走査電極ＳＣＮ２、走査電極ＳＣＮ３と走査電極ＳＣＮ４、・・・、走査電極ＳＣＮｎ−１と走査電極ＳＣＮｎであり、データ電極Ｄ１〜Ｄｍのそれぞれには奇数行目の放電セルに対応する画像信号にもとづく書込みパルスを印加する。第１の同時書込み動作は２走査電極ずつ同時に書込み動作を行うので、通常書込み動作の書込み期間のおよそ１／２の時間で書込み期間を終えることができる。その反面、隣接する走査電極には同じ画像データが入力されるので、垂直方向の解像度は低下する。
【００３０】
つぎに、第２の同時書込み動作について詳細に説明する。図７は、本発明の実施の形態におけるプラズマディスプレイ装置の第２の同時書込み動作を説明する図であり、書込み期間においてパネルの各電極に印加する駆動電圧波形図である。
【００３１】
１行目の放電セルに限っては、通常書込み動作と同様の書込み動作を行う。すなわち、１行目に表示すべき放電セルのデータ電極Ｄｋに正の書込みパルス電圧Ｖｗ（Ｖ）を印加するとともに、１行目の走査電極ＳＣＮ１に走査パルス電圧Ｖｂ（Ｖ）を印加して書込み動作を行う。
【００３２】
つぎに、データ電極Ｄ１〜Ｄｍのうち、２行目に表示すべき放電セルのデータ電極Ｄｋに正の書込みパルス電圧Ｖｗ（Ｖ）を印加するとともに、２行目の走査電極ＳＣＮ２および３行目の走査電極ＳＣＮ３に走査パルス電圧Ｖｂ（Ｖ）を印加して書込み動作を行う。つづけて書込み動作を４行目の放電セルと５行目の放電セル、６行目の放電セルと７行目の放電セル、・・・、ｎ−２行目の放電セルとｎ−１行目の放電セル、ｎ行目の放電セルに順次行う。
【００３３】
このように、第２の同時書込み動作も同時書込み動作であるが、同位相の走査パルスを印加する走査電極は、走査電極ＳＣＮ２と走査電極ＳＣＮ３、走査電極ＳＣＮ４と走査電極ＳＣＮ５、・・・、走査電極ＳＣＮｎ−２と走査電極ＳＣＮｎ−１であり、データ電極Ｄ１〜Ｄｍのそれぞれには偶数行目の放電セルに対応する画像信号にもとづく書込みパルスを印加する。第２の同時書込み動作も２走査電極ずつ同時に書込み動作を行うので、通常書込み動作の書込み期間のおよそ１／２の時間で書込み期間を終えることができるが、垂直方向の解像度は低下する。
【００３４】
つづく維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書込み放電を起こした放電セルにおいては、走査電極ＳＣＮｉ上と維持電極ＳＵＳｉ上との間の電圧は、維持パルス電圧Ｖｍ（Ｖ）に走査電極ＳＣＮｉ上および維持電極ＳＵＳｉ上の壁電圧の大きさが加算されたものとなり放電開始電圧を超える。そして、走査電極ＳＣＮｉと維持電極ＳＵＳｉとの間に維持放電が起こり、走査電極ＳＣＮｉ上に負の壁電圧が蓄積され、維持電極ＳＵＳｉ上に正の壁電圧が蓄積される。このときデータ電極Ｄｋ上にも正の壁電圧が蓄積される。書込み期間において書込み放電を起こさなかった放電セルでは維持放電は発生せず、初期化期間の終了時における壁電圧状態が保持される。つづいて、走査電極ＳＣＮ１〜ＳＣＮｎを０（Ｖ）に戻し、維持電極ＳＵＳ１〜ＳＵＳｎに正の維持パルス電圧Ｖｍ（Ｖ）を印加する。すると、維持放電を起こした放電セルでは、維持電極ＳＵＳｉ上と走査電極ＳＣＮｉ上との間の電圧は放電開始電圧を超えるので、再び維持電極ＳＵＳｉと走査電極ＳＣＮｉとの間に維持放電が起こり、維持電極ＳＵＳｉ上に負の壁電圧が蓄積され走査電極ＳＣＮｉ上に正の壁電圧が蓄積される。以降同様に、走査電極ＳＣＮ１〜ＳＣＮｎと維持電極ＳＵＳ１〜ＳＵＳｎとに交互に輝度重みに応じた数の維持パルスを印加することにより、書込み期間において書込み放電を起こした放電セルでは維持放電が継続して行われる。
【００３５】
つぎに、本実施の形態における書込み時間および書込み動作の詳細について説明する。図８は、本発明の実施の形態におけるプラズマディスプレイ装置の各サブフィールドの書込み動作とＡＰＬとの関係、および書込み時間とＡＰＬとの関係を示す図である。本実施の形態においては、ＡＰＬに対する所定のしきい値が２つ存在し、１つが、５０％、もう１つが７５％である。すなわち、ＡＰＬが５０％未満の画像信号に対しては、全てのサブフィールドの書込み動作は通常書込み動作であり、書込み時間は１．００μｓである。またＡＰＬが５０％以上かつ７５％未満の画像信号に対しては、第１ＳＦの書込み動作は同時書込み動作であり、それ以外のサブフィールドの書込み動作は通常書込み動作である。そしてこのときの書込み時間は１．０５μｓである。またＡＰＬが７５％以上の画像信号に対しては、第１ＳＦおよび第２ＳＦの書込み動作は同時書込み動作であり、それ以外のサブフィールドの書込み動作は通常書込み動作である。そしてこのときの書込み時間は１．１０μｓである。
【００３６】
このように、輝度重みの小さいサブフィールドを同時書込み動作を行うサブフィールドに設定している。なお、同時書込み動作を行うサブフィールドでは、フィールド毎に第１の同時書込み動作と第２の同時書込み動作とを交互に切換えている。例えばＡＰＬが５０％以上かつ７５％未満の画像信号に対する第１ＳＦの書込み動作は、最初のフィールドでは第１の同時書込み動作であり、つぎのフィールドでは第２の同時書込み動作であり、さらにつぎのフィールドでは第１の同時書込み動作であり、さらにつぎのフィールドでは第２の同時書込み動作である。またＡＰＬが７５％以上の画像信号に対する第１ＳＦおよび第２ＳＦの書込み動作は、最初のフィールドでは第１の同時書込み動作であり、つぎのフィールドでは第２の同時書込み動作であり、さらにつぎのフィールドでは第１の同時書込み動作であり、さらにつぎのフィールドでは第２の同時書込み動作である。
【００３７】
このように本実施の形態においては、表示する画像信号のＡＰＬが所定のしきい値以上の場合は、所定のしきい値未満の画像信号に比較して同時書込み動作を行うサブフィールドの数を多く設定している。また、表示する画像信号のＡＰＬが所定のしきい値以上の場合は、所定のしきい値未満の画像信号に比較して書込み時間を長く設定している。さらに、輝度重みの小さいサブフィールドから順に同時書込み動作を行うサブフィールドとなるように設定している。
【００３８】
これは、ＡＰＬの大きい画像を表示すると書込み放電が不安定になる傾向があり、これを解消するためには書込み時間を長く設定することが有効であることが経験的に明らかになっている。そこで本実施の形態においては、ＡＰＬの大きい画像を表示する場合には同時書込み動作を行うサブフィールドの数を増やして書込み期間を短縮し、その短縮した時間を用いて書込み時間を長く設定することで書込み放電を安定させている。また輝度重みの小さいサブフィールドから順に同時書込み動作を行うように制御することにより、垂直方向の解像度の低下を抑えている。さらに同時書込み動作を行うサブフィールドではフィールド毎に第１の同時書込み動作と第２の同時書込み動作とを交互に切換えることで、垂直方向の解像度を補っている。このようにして本実施の形態においては、走査電極の数の多いパネルであっても書込み放電を安定させて品質の良い画像表示を行っている。
【００３９】
なお、本実施の形態において用いた具体的な数値等は、単に一例を挙げたに過ぎず、パネルの特性やプラズマディスプレイ装置の仕様等に合わせて、適宜最適な値に設定することが望ましい。
【産業上の利用可能性】
【００４０】
本発明は、走査電極の数の多いパネルであっても、画質劣化を抑えながら書込み期間の長さを短縮することができるので、パネルの駆動方法として有用である。
【図面の簡単な説明】
【００４１】
【図１】本発明の実施の形態におけるパネルの要部を示す分解斜視図
【図２】同パネルの電極配列図
【図３】本発明の実施の形態におけるプラズマディスプレイ装置の回路ブロック図
【図４】同プラズマディスプレイ装置のパネルの各電極に印加する駆動電圧波形図
【図５】同プラズマディスプレイ装置の通常書込み動作を説明する図
【図６】同プラズマディスプレイ装置の第１の同時書込み動作を説明する図
【図７】同プラズマディスプレイ装置の第２の同時書込み動作を説明する図
【図８】同プラズマディスプレイ装置の各サブフィールドの書込み動作とＡＰＬとの関係、および書込み時間とＡＰＬとの関係を示す図
【符号の説明】
【００４２】
１    パネル
２    前面基板
３    背面基板
４    走査電極
５    維持電極
９    データ電極
１２    データ電極駆動回路
１３    走査電極駆動回路
１４    維持電極駆動回路
１５    タイミング発生回路
１８    画像信号処理回路
３０    ＡＰＬ算出回路
【図１】
2009069239.tif 000003
【図２】
2009069239.tif 000004
【図３】
2009069239.tif 000005
【図４】
2009069239.tif 000006
【図５】
2009069239.tif 000007
【図６】
2009069239.tif 000008
【図７】
2009069239.tif 000009
【図８】
2009069239.tif 000010